(57)【要約】      （修正有）【課題】波エネルギーを圧縮空気にして取り出す方法を提供する。【解決手段】容積可変容器1〜４と耐圧容器５〜７とを交互に配置し、その間を一方向圧力弁８で繋ぎ、空気取り入れ口１０側を浮体１４につなぎ空中に出し、容積可変容器４側を水深の深くなるほうに錘１１につなぎ、空気の流れが空気取り入れ口１０から圧力タンク１５方向に流れるようにする。波による水中圧力変化と波の運動力で容積可変容器は伸縮し、それによって内部空気圧が変わる。水深の浅い位置にある容積可変容器から次の深さの段に空気を送るにはお互いの静止圧の差以上の空気圧を発生させる必要があるが、容積可変容器の次の段に耐圧容器を設け前段で発生した正の圧力時の空気圧を一時蓄積しておく。次のタイミングで次の容積可変容器周りが波による負の圧力を受けると、蓄積されている耐圧容器の空気が次の容積可変容器に蓄積する。このようにして順に圧縮空気を作り公知の発電をする。【選択図】図１
2015129497.tif 000002
【特許請求の範囲】
【請求項１】
容積可変容器周辺に発生した波による正の圧力を受けた時の内部空気圧を一旦耐圧容器に蓄積し、次の段の容積可変容器周辺の波による圧力が負のとき空気を移動させるようにした。
【請求項２】
装置の一端をワイヤーで水底の錘に固定し、もう一方のほうの端を浮体につなぎ波の運動によって装置全体を引っ張ったり戻したりする。
容積可変容器はジャバラになっており力を受けると内部容積が大きくなり、内部圧力が下がり、前段の耐圧容器の空気を吸い込みやすくした。
【発明の詳細な説明】
【技術分野】
【０００１】  この発明は、水面の波による運動と水中の圧力の変化を利用し空気を段々と水中深く送り込むことで圧縮空気を作る装置である。
装置にある容積可変容器はそこの水深の圧力を内部の空気に与えておりその空気はそこの水深圧程度の圧縮空気として取り出すことが出来る。そのエネルギーを発電などに利用する。
【背景技術】
【０００２】  波エネルギーで空気を段々と水深の深い方向に送り込むことになるが既存する方法では隣同士の可変容器の瞬間に於ける圧力差を大きく取るには波の波長にあわせなければならない、波長は一定でなく装置を作るにも設置することも難しかった。
また、水深が深くなるほど波による水中圧力が小さくなり高圧縮空気が得にくくなる。
【発明の開示】
【発明が解決しようとする課題】
【０００３】  既存する方法では、効率よく空気を取り出すには波の波長などを考慮し装置を作り、設置しなければならず難しかった。
本考案では、容積可変容器と耐圧容器を交互に配置することでその地点における最大圧力を一旦耐圧容器に蓄積しておき圧力が下がってきたときに次の容積可変容器に空気を送り出すとゆう風にすることで、波長を考慮することも無く装置の作成設置が可能となる。
高圧縮空気を得るためには空気を水深深く送る必要がある、水面で発生する波の運動でこの装置全体を引き伸ばしたり戻したりすることで容積可変容器にこのエネルギーを与えより深いところまで空気を送り込ませるようにする。
【課題を解決するための手段】
【０００４】  図（１）より本装置は空気取り入れ口（１０）、容積可変容器（１）から順に耐圧容器（５）、容積可変容器（２）、耐圧容器（６）、容積可変容器（３）、耐圧容器（７）と順に容積可変容器（４）までを空気の流れを制御する一方向圧力弁（８）で接続する。
圧縮空気を貯めておく圧力タンク（１５）、そして位置と姿勢を保つための錘（１１）、水面の波運動エネルギーを装置全体に与えるための浮体（１４）等で構成されている。
水深は浅いほうから段々に深く成るよう錘（１１）で配置する。
空気は一方向圧力弁（８）により容積可変容器（１）から順に容積可変容器（４）まで一方向にのみ進むことが出来るようにしているが容積可変容器と圧力容器を段々と水深の深い方向に配置しているため圧力差で空気の流れは発生しない。
容積可変容器周りの水中圧力変化によって容器は伸縮し、内部の空気圧を変化させる、周りの圧力と内部空気圧が等しいとき釣り合いが取れた容積になる。
波が無いとき容積可変容器が受ける圧力を静止圧とすると容積可変容器（１）から順に容積可変容器（４）の周りの静止圧は段々と高くなっている、前段と後段の内部空気圧差は静止圧の差であり空気を後段に送るには前段と後段の空気圧差を静止圧力差以上にする必要がある。
浮体（１４）は水面の波の運動でロープ（１３）を介し容積可変容器全部に伸縮させる力を与え、伸縮させることで内部容積を替え、内部空気圧を変化させている。
ここで容積可変容器（１）周辺に波による負の水中圧力が加わったとき又は、波の運動でこの可変容器が引っ張られると、容積は拡張し、内部空気圧が低下し、大気圧の空気が容積可変容器（１）に取り込まれる。
この周辺圧力が正の圧力に変化してくると来ると容積可変容器（１）は、圧縮され空気圧が高くなり次の耐圧容器（５）に空気を送り蓄積する。
波による負の圧力が次の容積可変容器（２）周りに発生すると容積が増加し内部空気圧が低下してくると前段の耐圧容器（５）に蓄積されていた圧力の高い空気が容積可変容器（２）に送り込まれ圧力の釣り合いが取れると動作は停止する。
一方水面の波エネルギーにより引っ張られたそれぞれの容積可変容器は同じ力を受け容積を開こうとしているがその内部圧力と外部圧力の差が小さいほど小さな力で容積の拡大がし易いので波による圧力が負の圧力を受けている容積可変容器の方から順に容積が拡大する。
相乗効果により多くの空気を引き込むことが出来る。
このようにして容積可変容器（４）まで送り込まれた空気はその水深に受ける圧力と同じぐらいの圧力を持った空気を送り出すことが出来る。
この空気を圧力タンク（１５）に送り込み圧縮空気としてエネルギーの利用が出来る。
【発明の効果】
【０００５】  本考案の装置は波の波長など考慮しなくても作成、設置が出来る
ほとんどの装置が水中であり波の直接の力を受けにくい。
構造が簡単で圧縮空気を作れるので耐圧ホースを海底に引き回し遠距離の陸地で構造物をつくれる。
【発明を実施するための最良の形態】
【０００６】  この発明の実施形態を、図１に示す。
容積可変容器は、内部圧力と外部圧力が等しいとき一定の容積を持ち、内部圧力と外部圧力の差によって容積が変わる有限の可変容器である。
本装置は空気取り入れ口（１０）から容積可変容器（１）、耐圧容器（５）、容積可変容器（２）、耐圧容器（６）と順に容積可変容器（４）まで一方向圧力弁（８）で接続し空気の流れを制御している。空気は空気取り入れ口（１０）から圧力タンク（１５）方向にのみ進む。
空気取り入れ口（１０）側のロープの先に取り付けた錘（１１）と容積可変容器（４）の下部につけた錘（１１）によって容積可変容器（４）側を水深の深いところに配置し、空気取り入れ口（１０）側を浮体（１４）にワイヤー（１３）で接続し波の運動で装置全体を引っ張ったり、戻したり出来るようにする。
波が無いとき容積可変容器が受ける圧力を静止圧とすると容積可変容器（１）から順に容積可変容器（４）の周りの静止圧は段々と高くなっている。
従って、容積可変容器（１）から容積可変容器（２）に空気を送り込むには互いの静止圧差以上の空気圧差を容積可変容器（２）より容積可変容器（１）方を高くする必要がある。
容積可変容器（１）が波の負の圧力を受けたり、浮体（１４）により引っ張りを受けたりすることで容積が拡張し、内部圧力が下がり空気取入れ口（１０）から、空気を取り込みそして波による正の圧力を受けると圧縮し、その空気を耐圧容器（５）に一時蓄積する、蓄積する圧力は大気圧に水深による静止圧と波によって発生する正の時の圧力を加算した圧力を持った空気である。
容積可変容器（２）の周辺に波による負の水中圧力が加わったとき、容積可変容器（２）の内外圧力差により容積が拡張し内部空気圧が低くなる、耐圧容器（５）に蓄積された空気圧は比較され、条件により空気が容積可変容器（２）に送り込まれる。
容積可変容器（２）周りに波により正の圧力が加わると容積は圧縮され空気圧が高くなることで一方向圧力弁（８）を通り次の耐圧容器（６）内に空気を一時蓄積する。
容積可変容器（３）の周りの波による圧力が負になるとき容積可変容器（３）内の空気圧は下がり耐圧容器（６）に蓄積されていた空気圧のほうが高くなると容積可変容器（３）に空気が送り込まれる。
次に、容積可変容器（３）の周りの波による圧力が上がると容積可変容器（３）の内部空気圧は上昇し、その空気を耐圧容器（７）に送り込む。
同様にして空気は段々と高い静止圧のほうへと移動し容積可変容器（４）から一方向圧力弁（８）を通過した空気は耐圧ホース（９）を通り圧力タンク（１５）に蓄積される。
圧力タンク（１５）に蓄積される空気圧は、概ね容積可変容器（４）の受ける静止圧と同じぐらいとなる。
【実施形態の効果】
【０００７】  装置が波の波長などを考慮することなく作成、設置できる。
また、より深い地点まで装置を設置することでより高い圧力の空気を得ることが出来る。
簡単な構造で圧縮空気が作れ、耐圧ホースで海底を引き回すことでエネルギー輸送がし易く構造物が陸上ででよく作りやすくなる。
【他の実施形態】
【０００８】  従来、波のエネルギーを利用するには直接電気エネルギーにして使用している形態が多く時と、量のコントロールがやりにくい。
自然との対応のため装置が壊れやすく設備費用もかさむ可能性がある。
【図面の簡単な説明】
【０００９】
【図１】本発明の実施形態を示す斜視図である。
【符号の説明】
【００１０】「図１」
１  容積可変容器
２  容積可変容器
３  容積可変容器
４  容積可変容器
５  耐圧容器
６  耐圧容器
７  耐圧容器
８  一方向圧力弁
９  耐圧ホース
１０  空気取り入れ口
１１  錘
１２  ワイヤー
１３  ワイヤー
１４  浮体
１５  圧力タンク
１６  調整弁
１７  圧縮空気取り出し口
１８  水面
１９  水底
【図１】
2015129497.tif 000003